【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
ジョブ管理装置と、最終生成物を生成すべく印刷から製本に至るまでの各工程の処理を実行する複数の工程装置とを含む印刷システムであって、
前記ジョブ管理装置は、
複数のジョブを結合した結合ジョブを生成するジョブ結合手段を備え、
前記複数の工程装置の少なくとも１つは、
前記ジョブ管理装置から、複数のジョブを結合した結合ジョブを受信する受信手段と、
前記受信手段で受信した結合ジョブの処理内容を示すジョブ管理情報に基づいて、前記結合ジョブを処理する処理手段と、
前記結合ジョブを構成する複数のジョブそれぞれについての前記処理手段による処理の終了通知を、指定された通知先へ送信する通知手段と
を備えることを特徴とする印刷システム。
【請求項２】
前記複数の工程装置の少なくとも１つは、更に、
自身の下流にある工程装置に、前記結合ジョブを構成する複数のジョブそれぞれについての処理の終了通知を、指定された通知先へ送信させるための通知指示情報を生成する生成手段と、
前記生成手段で生成した通知指示情報を含む前記ジョブ管理情報を前記結合ジョブと共に、自身の下流にある工程装置へ送信するジョブ送信手段と
を備えることを特徴とする請求項１に記載の印刷システム。
【請求項３】
前記通知手段は、前記結合ジョブのジョブ管理情報に含まれる通知指示情報に基づいて、該結合ジョブを構成する複数のジョブそれぞれについての前記処理手段による処理が終了する毎にその終了通知を、指定された通知先へ送信する
ことを特徴とする請求項１に記載の印刷システム。
【請求項４】
前記ジョブ管理装置は、
前記複数の工程装置の内の指定された工程装置における前記結合ジョブを構成する複数のジョブそれぞれについての処理の終了通知を、指定された通知先へ送信させるための通知指示情報を生成する通知指示情報を含む、結合ジョブの処理内容を示すジョブ管理情報を生成するジョブ管理情報生成手段と、
前記ジョブ管理情報を含む結合ジョブを、前記複数の工程装置の内の指定された工程装置へ出力する出力手段と
を備えることを特徴とする請求項１乃至３のいずれか１項に記載の印刷システム。
【請求項５】
印刷から製本に至るまでの各工程の処理を実行する複数の工程装置を用いて、最終生成物を生成する印刷システムにおける工程装置であって
自身の上流にある工程装置から、複数のジョブを結合した結合ジョブを受信する受信手段と、
前記受信手段で受信した結合ジョブの処理内容を示すジョブ管理情報に基づいて、前記結合ジョブを処理する処理手段と、
前記結合ジョブを構成する複数のジョブそれぞれについての前記処理手段による処理の終了通知を、指定された通知先へ送信する通知手段と
を備えることを特徴とする工程装置。
【請求項６】
自身の下流にある工程装置に、前記結合ジョブを構成する複数のジョブそれぞれについての処理の終了通知を、指定された通知先へ送信させるための通知指示情報を生成する生成手段と、
前記生成手段で生成した通知指示情報を含む前記ジョブ管理情報を前記結合ジョブと共に、自身の下流にある工程装置へ送信するジョブ送信手段と
を備えることを特徴とする請求項５に記載の工程装置。
【請求項７】
前記通知手段は、前記結合ジョブのジョブ管理情報に含まれる通知指示情報に基づいて、該結合ジョブを構成する複数のジョブそれぞれについての前記処理手段による処理が終了する毎にその終了通知を、指定された通知先へ送信する
ことを特徴とする請求項５に記載の工程装置。
【請求項８】
当該工程装置は、ジョブに基づいて画像を形成する画像形成装置、または、前記画像形成装置から出力された印刷物の後処理を実行する後処理装置である
ことを特徴とする請求項５に記載の工程装置。
【請求項９】
印刷から製本に至るまでの各工程の処理を実行する複数の工程装置を用いて、最終生成物を生成する印刷システムにおけるジョブ及びその処理内容を示すジョブ管理情報を生成するジョブ管理装置であって、
複数のジョブを結合した結合ジョブを生成する結合ジョブ生成手段と、
前記複数の工程装置の内の指定された工程装置における前記結合ジョブを構成する複数のジョブそれぞれについての処理の終了通知を、指定された通知先へ送信させるための通知指示情報を生成する通知指示情報を含む、結合ジョブの処理内容を示すジョブ管理情報を生成するジョブ管理情報生成手段と、
前記ジョブ管理情報を含む結合ジョブを、前記複数の工程装置の内の指定された工程装置へ出力する出力手段と
を備えることを特徴とするジョブ管理装置。
【請求項１０】
印刷から製本に至るまでの各工程の処理を実行する複数の工程装置を用いて、最終生成物を生成する印刷システムにおける工程装置の制御方法であって
受信手段が、自身の上流にある工程装置から、複数のジョブを結合した結合ジョブを受信する受信工程と、
処理手段が、前記受信工程で受信した結合ジョブの処理内容を示すジョブ管理情報に基づいて、前記結合ジョブを処理する処理工程と、
通知手段が、前記結合ジョブを構成する複数のジョブそれぞれについての前記処理工程による処理の終了通知を、指定された通知先へ送信する通知工程と
を備えることを特徴とする工程装置の制御方法。
【請求項１１】
印刷から製本に至るまでの各工程の処理を実行する複数の工程装置を用いて、最終生成物を生成する印刷システムにおけるジョブ及びその処理内容を示すジョブ管理情報を生成するジョブ管理装置の制御方法であって、
結合ジョブ生成手段が、複数のジョブを結合した結合ジョブを生成する結合ジョブ生成工程と、
ジョブ管理情報生成手段が、前記複数の工程装置の内の指定された工程装置における前記結合ジョブを構成する複数のジョブそれぞれについての処理の終了通知を、指定された通知先へ送信させるための通知指示情報を生成する通知指示情報を含む、結合ジョブの処理内容を示すジョブ管理情報を生成するジョブ管理情報生成工程と、
出力手段が、前記ジョブ管理情報を含む結合ジョブを、前記複数の工程装置の内の指定された工程装置へ出力する出力工程と
を備えることを特徴とするジョブ管理装置の制御方法。
【請求項１２】
印刷から製本に至るまでの各工程の処理を実行する複数の工程装置を用いて、最終生成物を生成する印刷システムにおける工程装置の制御をコンピュータに機能させるためのプログラムであって、
前記コンピュータを、
自身の上流にある工程装置から、複数のジョブを結合した結合ジョブを受信する受信手段と、
前記受信手段で受信した結合ジョブの処理内容を示すジョブ管理情報に基づいて、前記結合ジョブを処理する処理手段と、
前記結合ジョブを構成する複数のジョブそれぞれについての前記処理手段による処理の終了通知を、指定された通知先へ送信する通知手段と
して機能させることを特徴とするプログラム。
【請求項１３】
印刷から製本に至るまでの各工程の処理を実行する複数の工程装置を用いて、最終生成物を生成する印刷システムにおけるジョブ及びその処理内容を示すジョブ管理情報を生成するジョブ管理装置の制御をコンピュータに機能させるためのプログラムであって、
前記コンピュータを、
複数のジョブを結合した結合ジョブを生成する結合ジョブ生成手段と、
前記複数の工程装置の内の指定された工程装置における前記結合ジョブを構成する複数のジョブそれぞれについての処理の終了通知を、指定された通知先へ送信させるための通知指示情報を生成する通知指示情報を含む、結合ジョブの処理内容を示すジョブ管理情報を生成するジョブ管理情報生成手段と、
前記ジョブ管理情報を含む結合ジョブを、前記複数の工程装置の内の指定された工程装置へ出力する出力手段と
して機能させることを特徴とするプログラム。